(57)【要約】【課題】印刷ミスを発生させる可能性の低いユーザの利便性を損なうことなく、印刷ミスを発生させる可能性が高い場合のみ、誤印刷による資源の浪費を軽減することができる誤印刷防止システム、及びプログラムを提供する。【解決手段】ユーザごとに印刷ミスの履歴を記録しておき、その記録から印刷ミスを発生させる可能性が高いと判断したユーザが印刷を行う場合や、多量の枚数の印刷を行う際には、複数部印刷の場合に１部のみを印刷する、もしくは複数枚の印刷の場合にそのうちの所定の枚数のみを印刷するように印刷ジョブを実行する試し印刷モードで印刷を行うよう印刷装置に指示する。【選択図】図５
2013190839.tif 000002
【特許請求の範囲】
【請求項１】
印刷ミスの履歴を記録する記録部と、
前記記録部が記録する印刷ミスの履歴から、印刷ミスの発生する可能性を示す所定の指標の値を導出し、前記導出した値が第１閾値を超えている場合に、複数部印刷の場合に１部のみを印刷する、もしくは複数枚の印刷の場合にそのうちの所定の枚数のみを印刷する試し印刷モードで印刷ジョブを実行するように印刷装置に指示する印刷モード決定部と、
を有する
ことを特徴とする誤印刷防止装置。
【請求項２】
前記記録部は、印刷ミスの履歴をユーザごとに記録し、
前記印刷モード決定部は、前記記録部が記録している一のユーザの印刷ミスの履歴から、前記一のユーザに対応する前記所定の指標の値を導出し、前記導出した前記一のユーザの値が前記第１閾値を超えている場合に、前記試し印刷モードで前記一のユーザがオーナの印刷ジョブを実行するように印刷装置に指示する
ことを特徴とする請求項１に記載の誤印刷防止装置。
【請求項３】
前記印刷モード決定部は、前記印刷装置によって印刷される印刷ジョブの印刷量が第２閾値を超える場合は、前記試し印刷モードで印刷ジョブを実行するように前記印刷装置に指示する
ことを特徴とする請求項１または２に記載の誤印刷防止装置。
【請求項４】
前記所定の指標とは、印刷ミスの発生回数と印刷ミスの発生割合の少なくとも一方である
ことを特徴とする請求項１乃至３のいずれか１つに記載の誤印刷防止装置。
【請求項５】
前記印刷装置で実行される印刷ジョブの印刷設定の内容に応じてその印刷ジョブを前記試し印刷モードで実行するか否かの判断で使用する前記第１閾値及び前記第２閾値の少なくとも一方を変更する
ことを特徴とする請求項１乃至４のいずれか１つに記載の誤印刷防止装置。
【請求項６】
報知部を更に備え、
前記報知部は、前記試し印刷モードで印刷ジョブが前記印刷装置によって印刷された場合に、その旨を報知する
ことを特徴とする請求項１乃至５のいずれか１つに記載の誤印刷防止装置。
【請求項７】
前記第１閾値及び前記第２閾値の少なくとも一方を前記印刷ミス履歴に基づいて変更する
ことを特徴とする請求項１乃至６のいずれか１つに記載の誤印刷防止装置。
【請求項８】
前記第１閾値及び前記第２閾値の少なくとも一方は、ユーザによって変更可能である
ことを特徴とする請求項１乃至７のいずれか１つに記載の誤印刷防止装置。
【請求項９】
前記記録部は、実行済みである第１の印刷ジョブと、ファイル名が同一または類似した新たな印刷ジョブが投入された場合は、前記第１の印刷ジョブの実行を印刷ミスとして記録する
ことを特徴とする請求項１乃至８のいずれか１つに記載の誤印刷防止装置。
【請求項１０】
前記記録部は、前記試し印刷モードで実行された印刷ジョブの残りの部分が実行されなかった場合は、前記試し印刷モードでの前記印刷ジョブの実行を印刷ミスとして記録する
ことを特徴とする請求項１乃至９のいずれか１つに記載の誤印刷防止装置。
【請求項１１】
前記記録部は、前記試し印刷モードで実行された印刷ジョブの残りの部分が実行された後に、前記印刷ジョブに係る印刷ミスが発生したら、当該印刷ミスを重度の印刷ミスとして記録する
ことを特徴とする請求項１乃至１０のいずれか１つに記載の誤印刷防止装置。
【請求項１２】
前記記録部は、実行済みである第１の印刷ジョブとドキュメントの内容が同一または類似した新たな印刷ジョブが投入された場合は、前記第１の印刷ジョブの実行を印刷ミスとして記録する
ことを特徴とする請求項１乃至１１のいずれか１つに記載の誤印刷防止装置。
【請求項１３】
請求項１乃至１２のいずれか１つに記載の誤印刷防止装置と、
この誤印刷防止装置からの指示に基づいて前記試し印刷モードで印刷ジョブに係る印刷を行う印刷装置と
を有する
ことを特徴とする印刷システム。
【発明の詳細な説明】
【技術分野】
【０００１】
本発明は、誤印刷による資源浪費を軽減するための誤印刷防止装置および誤印刷防止システムに関する。
【背景技術】
【０００２】
ユーザが作成したドキュメントを印刷し、その印刷された用紙を確認した際に、印刷ミスを発見する場合がある。印刷ミスには、たとえば、印刷条件の誤設定や、ドキュメントにおける漢字変換ミス、表計算ソフトで作成した文書で印刷範囲の設定ミス（１枚に印字すべきところを複数枚に分割してしまう等）、目的ページ以外に大量の白紙が出力されてしまう等がある。
【０００３】
これらの印刷ミスを訂正し、再印刷を実行すると、初めに印刷した用紙は、無駄な用紙となるので、資源を無駄に浪費することになってしまう。特に、初めの印刷で大量の枚数を印刷した場合は、その分だけ資源を無駄に浪費してしまう。そこで、このような問題に対応すべく、様々な技術が提案されている。
【０００４】
たとえば、特許文献１には、投入された印刷ジョブにおける印刷部数が所定の閾値を超える場合には、まずそのうちの一部数のみの印刷を行い、その印刷結果に基づくユーザからの印刷継続可否指示の入力を受け付けて残りの部数の印刷の可否を決定する試し印刷モードに係る技術が提案されている（特許文献１）。
【０００５】
また、特許文献２には、印刷設定ミスを、各ユーザに合わせた防止策で未然に防ぐために、ユーザごとに印刷ミスを犯しやすい設定を予め登録しておき、印刷時に、その印刷設定が登録してある印刷ミスを犯しやすい設定内容に該当するときは、ユーザに対して警告を促す技術が開示されている（特許文献２）。
【先行技術文献】
【特許文献】
【０００６】
【特許文献１】特開２０１０−１９４９７２号公報
【特許文献２】特開２００７−５８４２８号公報
【特許文献３】特開２０１０−２０１６５４号公報
【特許文献４】特開２００８−２１０３２１号公報
【特許文献５】特開２００９−０２０５５４号公報
【特許文献６】特開２０１０−２６０２６４号公報
【特許文献７】特開２０１０−２４７４８０号公報
【発明の概要】
【発明が解決しようとする課題】
【０００７】
特許文献１に開示の方法は、閾値を超える印刷部数の印刷の際には、自動的に試しプリントモードが実行されて、印刷原稿の間違い等による多数の用紙の無駄を無くすことが可能となるが、部数の少ない印刷においても印刷ミスは発生するため、その場合は用紙の浪費を防ぐことができない。
【０００８】
特許文献２は、印刷ミスを犯し易い設定内容の場合に警告するが、印刷ミスは他の設定内容でも生じることがあり、その場合は用紙の浪費を防ぐことができない。
【０００９】
本発明は、上記の問題を解決しようとするものであり、より的確に印刷ミスの発生を予測して試し印刷モードに切り替えることのできる誤印刷防止装置および誤印刷防止システムを提供することを目的としている。
【課題を解決するための手段】
【００１０】
かかる目的を達成するための本発明の要旨とするところは、次の各項の発明に存する。
【００１１】
［１］印刷ミスの履歴を記録する記録部と、
前記記録部が記録する印刷ミスの履歴から、印刷ミスの発生する可能性を示す所定の指標の値を導出し、前記導出した値が第１閾値を超えている場合に、複数部印刷の場合に１部のみを印刷する、もしくは複数枚の印刷の場合にそのうちの所定の枚数のみを印刷する試し印刷モードで印刷ジョブを実行するように印刷装置に指示する印刷モード決定部と、
を有する
ことを特徴とする誤印刷防止装置。
【００１２】
上記発明では、印刷ミスの履歴を記録しておき、その履歴から、印刷ミスの発生する可能性を示す所定の指標の値を導出し、導出した値が第１閾値を超えている場合は、複数部印刷の場合に１部のみを印刷する、もしくは複数枚の印刷の場合にそのうちの所定の枚数のみを印刷するように印刷ジョブを実行する試し印刷モードで印刷するように印刷装置に指示する。よって、印刷ミスを発生させる可能性の低い場合の利便性を損なうことなく印刷ミスによる資源の浪費を防ぐことができる。
【００１３】
［２］前記記録部は、印刷ミスの履歴をユーザごとに記録し、
前記印刷モード決定部は、前記記録部が記録している一のユーザの印刷ミスの履歴から、前記一のユーザに対応する前記所定の指標の値を導出し、前記導出した前記一のユーザの値が前記第１閾値を超えている場合に、前記試し印刷モードで前記一のユーザがオーナの印刷ジョブを実行するように印刷装置に指示する
ことを特徴とする［１］に記載の誤印刷防止装置。
【００１４】
上記発明では、印刷ミスの履歴はユーザごとに記憶しておき、印刷ジョブのオーナの印刷ミスの履歴から、印刷ミスの発生する可能性を示す所定の指標の値を導出し、導出した値が第１閾値を超えている場合は、試し印刷モードで該印刷ジョブを実行するよう印刷装置に指示する。よって、印刷ミスを発生させる可能性の低いユーザの利便性を損なうことなく印刷ミスによる資源の浪費を防ぐことができる。
【００１５】
［３］前記印刷モード決定部は、前記印刷装置によって印刷される印刷ジョブの印刷量が第２閾値を超える場合は、前記試し印刷モードで印刷ジョブを実行するように前記印刷装置に指示する
ことを特徴とする［１］または［２］に記載の誤印刷防止装置。
【００１６】
上記発明では、印刷ジョブの印刷量が第２閾値を超える場合は、試し印刷モードで印刷ジョブを実行するように印刷装置に指示する。よって、印刷ミスの発生する可能性が低くても、印刷ミスが発生した時に資源を浪費する量が多い場合には、自動で試し印刷モードで印刷ジョブを実行する。印刷量とは、印刷予定部数や印刷予定枚数、またはその組み合わせ等である。
【００１７】
［４］前記所定の指標とは、印刷ミスの発生回数と印刷ミスの発生割合の少なくとも一方である
ことを特徴とする［１］乃至［３］のいずれか１つに記載の誤印刷防止装置。
【００１８】
［５］前記印刷装置で実行される印刷ジョブの印刷設定の内容に応じてその印刷ジョブを前記試し印刷モードで実行するか否かの判断で使用する前記第１閾値及び前記第２閾値の少なくとも一方を変更する
ことを特徴とする［１］乃至［４］のいずれか１つに記載の誤印刷防止装置。
【００１９】
上記発明では、印刷装置で実行される印刷ジョブの印刷設定の内容に応じて、その印刷ジョブを試し印刷モードで実行するか否かの判断で使用する第１閾値及び第２閾値の少なくとも一方を変更する。たとえば、設定内容が片面印刷ではなく両面印刷の場合は、印刷された用紙を裏紙で再利用することが不可能なので、片面印刷の場合に比べ資源浪費量が多い設定であるものとし、試し印刷モードを行うか否かの判定を厳しくすべく閾値を下げる。判定をより厳しくすることで、試し印刷モードになりやすくする。他にも、白黒印刷ではなくカラー印刷を行う場合等も、白黒印刷の場合に比べてインクの消費量が増加するので閾値を下げてもよい。
【００２０】
［６］報知部を更に備え、
前記報知部は、前記試し印刷モードで印刷ジョブが前記印刷装置によって印刷された場合に、その旨を報知する
ことを特徴とする［１］乃至［５］のいずれか１つに記載の誤印刷防止装置。
【００２１】
上記発明では、試し印刷モードで印刷ジョブを実行した場合に、その旨を報知する。報知手段としては、たとえば音声案内、アラーム、画面表示等がある。その後、その報知を確認した印刷ジョブのオーナであるユーザは、試し印刷モードでの印刷結果（印刷済みの用紙）を確認し、印刷ジョブの残りの部分を実行させるか否かを決定する。
【００２２】
［７］前記第１閾値及び前記第２閾値の少なくとも一方を前記印刷ミス履歴に基づいて変更する
ことを特徴とする［１］乃至［６］のいずれか１つに記載の誤印刷防止装置。
【００２３】
上記発明では、印刷ジョブを投入したユーザの印刷ミスの履歴によって第１閾値、第２閾値を変動させる。たとえば、あまりにも印刷ミスを発生させた回数が多いユーザが印刷を行う場合は、試し印刷モードを行うか否かの判定を厳しくすべく第１閾値、第２閾値の少なくともどちらか一方を下げる。判定をより厳しくすることで、試し印刷モードになりやすくする。他にも、以前はよく印刷ミスを発生させていたが、ここ１週間で印刷ミスを発生させていない場合は、試し印刷モードを行うか否かの判定を甘くすべく第１閾値、第２閾値の少なくともどちらか一方を上げたりしてもよい。判定をより甘くすることで、試し印刷モードになりにくくなる。
【００２４】
［８］前記第１閾値及び前記第２閾値の少なくとも一方は、ユーザによって変更可能である
ことを特徴とする［１］乃至［７］のいずれか１つに記載の誤印刷防止装置。
【００２５】
上記発明では、第１閾値、第２閾値はユーザが変更可能である。
【００２６】
［９］前記記録部は、実行済みである第１の印刷ジョブと、ファイル名が同一または類似した新たな印刷ジョブが投入された場合は、前記第１の印刷ジョブの実行を印刷ミスとして記録する
ことを特徴とする［１］乃至［８］のいずれか１つに記載の誤印刷防止装置。
【００２７】
上記発明では、実行済みである第１の印刷ジョブと、ファイル名が同一または類似した新たな印刷ジョブを、所定期間内に実行する場合は、第１の印刷ジョブの実行を印刷ミスとする。たとえば、新たな実行予定の印刷ジョブに対して、ドキュメントのファイル名が一致、または一部一致するもの（たとえば、「ＯＯＯ20080522.xls」と「ＯＯＯ20080524.xls」などのように、日付以外は一致するもの等）が過去に実行した印刷ジョブの中にある場合は、その該当する印刷ジョブの実行は印刷ミスであったとする。
【００２８】
［１０］前記記録部は、前記試し印刷モードで実行された印刷ジョブの残りの部分が実行されなかった場合は、前記試し印刷モードでの前記印刷ジョブの実行を印刷ミスとして記録する
ことを特徴とする［１］乃至［９］のいずれか１つに記載の誤印刷防止装置。
【００２９】
上記発明では、試し印刷モードで印刷ジョブを実行後、印刷ジョブの残りの部分を実行させなかった場合は、ユーザが試し印刷モードでの印刷結果から印刷ミスを見つけて印刷を中止したと想定されるので、試し印刷モードで行ったその印刷ジョブの実行は印刷ミスであったとする。
【００３０】
［１１］前記記録部は、前記試し印刷モードで実行された印刷ジョブの残りの部分が実行された後に、前記印刷ジョブに係る印刷ミスが発生したら、当該印刷ミスを重度の印刷ミスとして記録する
ことを特徴とする［１］乃至［１０］のいずれか１つに記載の誤印刷防止装置。
【００３１】
上記発明では、試し印刷モードで印刷ジョブを実行し、その後、前記印刷ジョブの残りの部分を実行した後に、その印刷ジョブの実行が印刷ミスとなってしまった場合は、試し印刷モードの印刷結果で確認したにもかかわらず、再度の印刷ミスを発生させてしまったとし、その印刷ミスを重度の印刷ミスとして印刷ミスの履歴を記録する。たとえば、通常の印刷ミス２回分として記録したり、重度の印刷ミスを発生させたとして、試し印刷モードを行うか否かの判定を厳しくすべく閾値を下げたりしてもよい。
【００３２】
［１２］前記記録部は、実行済みである第１の印刷ジョブとドキュメントの内容が同一または類似した新たな印刷ジョブが投入された場合は、前記第１の印刷ジョブの実行を印刷ミスとして記録する
ことを特徴とする［１］乃至［１１］のいずれか１つに記載の誤印刷防止装置。
【００３３】
上記発明では、実行済みである第１の印刷ジョブと、ドキュメントの内容が、同一または類似した新たな印刷ジョブを所定期間内に実行する場合は、第１の印刷ジョブの実行を印刷ミスとする。たとえば、新たに実行される印刷ジョブのオーナが過去に実行した印刷ジョブに含まれる画像データの中に、新たに実行される印刷ジョブの画像データと先頭ページの内容が一致するものがあれば、該当する印刷ジョブの実行が印刷ミスであったとする。
【００３４】
［１３］［１］乃至［１２］のいずれか１つに記載の誤印刷防止装置と、
この誤印刷防止装置からの指示に基づいて前記試し印刷モードで印刷ジョブに係る印刷を行う印刷装置と
を有する
ことを特徴とする印刷システム。
【発明の効果】
【００３５】
本発明に係る誤印刷防止装置および誤印刷防止システムによれば、印刷ミスを発生させる可能性の低いユーザの利便性を損なうことなく印刷ミスによる資源の浪費を軽減することができる。
【図面の簡単な説明】
【００３６】
【図１】本発明の実施の形態に係る誤印刷防止システムを示す説明図である。
【図２】本発明の実施の形態に係る画像形成装置の概略構成を示すブロック図である。
【図３】本発明の実施の形態に係る誤印刷防止サーバを示すブロック図である。
【図４】誤印刷防止システムにおいて処理が行われる順番を示す説明図である。
【図５】誤印刷防止サーバで行われる処理の流れを示す流れ図である。
【図６】画像形成装置で行われる処理の流れを示す流れ図である。
【図７】図６の処理の流れの続きを示す流れ図である。
【図８】試し印刷モード画面の一例を示す説明図である。
【発明を実施するための形態】
【００３７】
以下、図面に基づき本発明の実施の形態を説明する。
【００３８】
図１は、本発明の実施の形態に係る誤印刷防止システム５を示す。誤印刷防止システム５は、画像形成装置１０と、ＰＣ端末６０と誤印刷防止サーバ３０がＬＡＮ（Local Area Network）３で接続されて構成されている。
【００３９】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブなどのジョブを実行する機能を備えた、所謂、複合機である。本発明における画像形成装置１０は、複数部印刷の場合に１部のみを印刷する、もしくは複数枚の印刷の場合にそのうちの所定の枚数（所定の枚数はユーザが設定可能）のみを印刷するように印刷ジョブを実行する試し印刷モードと、通常の印刷を行う通常印刷モードのどちらかのモードで印刷を行う。なお、画像形成装置１０が試し印刷モードで印刷ジョブを実行した場合は、その印刷結果に基づいて、印刷ジョブの残りの部分（部数、枚数）についての印刷を継続するか否かの選択をユーザから受け付ける。
【００４０】
ＰＣ端末６０は、ユーザからドキュメントの作成を受け付け、そのドキュメントを印刷する際には、そのドキュメントに係る印刷ジョブを誤印刷防止サーバ３０に送信する。
【００４１】
誤印刷防止サーバ３０は、ＰＣ端末６０から受信した印刷ジョブを画像形成装置１０に転送するプリントサーバとしての機能を備えている。また、画像形成装置１０で発生した印刷ミスをユーザごとに記録しておき、その記録から印刷ミスを発生させる可能性が高いと判断したユーザが印刷を行う場合や、多量の枚数の印刷を行う場合は、画像形成装置１０を試し印刷モードで印刷を行うように制御する。なお、誤印刷防止サーバ３０が管理し制御する画像形成装置１０は複数台であってもよい。印刷ミスとなり得るものは、たとえば、印刷条件（設定内容）の誤設定や、印刷ジョブを作成する元となったドキュメント自体にミスがあった場合（漢字変換ミス、改行し忘れ、書式設定ミス）等である。
【００４２】
図２は、画像形成装置１０の概略構成を示している。画像形成装置１０は、当該画像形成装置１０の動作を制御するＣＰＵ（Central Processing Unit）１１と、このＣＰＵ１１に接続されたＲＯＭ（Read Only Memory）１２と、ＲＡＭ（Random Access Memory）１３と、不揮発メモリ１４と、ハードディスク装置１５と、表示部１６と、操作部１７と、ネットワークＩ／Ｆ部１８と、スキャナ部１９と、画像処理部２０と、プリンタ部２１と、ファクシミリ通信部２２と、音声出力部２３とを備えて構成されている。
【００４３】
ＣＰＵ１１はＯＳ（Operating System）プログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像形成装置１０の各機能が実現される。ＲＡＭ１３はＣＰＵ１１がプログラムを実行する際に各種のデータを一時的に格納するワークメモリや画像データを格納する画像メモリなどとして使用される。
【００４４】
不揮発メモリ１４は、電源がオフにされても記憶が保持できる書き換え可能なメモリ（フラッシュメモリ）である。不揮発メモリ１４には、装置固有の情報や各種の設定情報などが記憶される。ハードディスク装置１５は、大容量の不揮発の記憶装置であり、ＯＳプログラムや各種アプリケーションプログラム、印刷データや画像データ、ジョブに係る情報や履歴などが保存される。
【００４５】
表示部１６は、液晶ディスプレイ（ＬＣＤ…Liquid Crystal Display）などで構成され、各種の操作、設定に係る内容を表示する機能を果たす。操作部１７は、ユーザからのジョブの投入や設定の変更など、各種の操作を受け付ける機能を果たす。操作部１７は、表示部１６の画面上に設けられて押下された座標位置を検出するタッチパネルのほか、画面外にテンキーや文字入力キー、スタートキーなどを備えて構成される。
【００４６】
ネットワークＩ/Ｆ部１８は、ＬＡＮ３などのネットワークを通じて接続されている他の外部装置などと通信を行う。
【００４７】
スキャナ部１９は、原稿を光学的に読み取って画像データを取得する機能を果たす。スキャナ部１９は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００４８】
画像処理部２０は、画像の拡大縮小、回転などの処理のほか、印刷データをイメージデータに変換するラスタライズ処理、画像データの圧縮、伸張処理を行う。
【００４９】
プリンタ部２１は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置などを有し、電子写真プロセスによって画像形成を行う、所謂、レーザープリンタとして構成されている。画像形成出力（印刷）を行う際は、主走査方向への１ライン分の画像形成を繰り返しつつ、画像形成の対象物（記録紙）を副走査方向に移動させることによって、記録紙上に２次元の画像が形成される。
【００５０】
ファクシミリ通信部２２は、ファクシミリ送信および受信に係る動作を制御する。
【００５１】
音声出力部２３は、試し印刷モードで印刷を行った場合に、その旨を音声案内で報知する。
【００５２】
図３は、誤印刷防止サーバ３０の概略構成を示している。誤印刷防止サーバ３０は、当該誤印刷防止サーバ３０の動作を制御するＣＰＵ３１と、このＣＰＵ３１に接続されたＲＯＭ３２と、ＲＡＭ３３と、不揮発メモリ３４と、ハードディスク装置３５と、ネットワークＩ／Ｆ部３６とを備えて構成されている。また、ＣＰＵ３１は、印刷ミス判定部３８と、印刷ミス履歴管理部３９と、モード判定部４０を備えて構成されている。
【００５３】
ＣＰＵ３１はＯＳプログラムをベースとし、その上で、ミドルウェアやアプリケーションプログラムなどが実行される。印刷ミス判定部３８と、印刷ミス履歴管理部３９と、モード判定部４０については後述する。
【００５４】
ＲＯＭ３２には各種のプログラムが格納されており、これらのプログラムに従ってＣＰＵ３１が処理を実行することでジョブの実行など誤印刷防止サーバ３０の各機能が実現される。ＲＡＭ３３はＣＰＵ３１がプログラムを実行する際に各種のデータを一時的に格納するワークメモリとして使用される。
【００５５】
不揮発メモリ３４は、電源がオフにされても記憶が保持できる書き換え可能なメモリ（フラッシュメモリ）である。不揮発メモリ３４には、装置固有の情報や各種の設定情報などが記憶される。ハードディスク装置３５は、大容量の不揮発の記憶装置であり、ＯＳプログラムや各種アプリケーションプログラムなどが保存される。また、ハードディスク装置３５は画像形成装置１０で起きた印刷ミスを記録する印刷ミス管理テーブル３７を備えている。印刷ミス管理テーブル３７には、ユーザごとに総印刷回数や、印刷ミスの回数、過去の印刷ジョブ情報等が記録されている。
【００５６】
ネットワークＩ/Ｆ部３６は、ＬＡＮ３などのネットワークを通じて接続されている他の外部装置などと通信を行う。
【００５７】
印刷ミス判定部３８は、試し印刷モードでの印刷後に残りの部分の印刷を中止した場合と、新たに投入された印刷ジョブが、ユーザが過去に投入した印刷ジョブの内容の一部を変更した更新ジョブであった場合に、画像形成装置１０で印刷ミスが発生したと判断する。
【００５８】
試し印刷モードで印刷ジョブを実行後、印刷ジョブの残りの部分を実行させなかった場合は、ユーザが試し印刷モードでの印刷結果から印刷ミスを見つけて印刷を中止したと想定されるので、試し印刷モードで行ったその印刷ジョブの実行は印刷ミスであったとする。
【００５９】
ユーザによって新たに投入された印刷ジョブが更新ジョブの場合、その更新ジョブの元となった印刷ジョブに印刷ミスがあった可能性が高いので、誤印刷防止サーバ３０は、新たに投入された印刷ジョブが更新ジョブであると判断した場合は、対応する過去の印刷ジョブに印刷ミスがあったものと判断する。更新ジョブか否かを判定する方法は、特許文献３（特開２０１０−２０１６５４号公報）に開示の方法を使用する。具体的には以下の方法で、更新ジョブか否か判定する。
【００６０】
＜方法１＞
新たな印刷ジョブを投入したユーザの過去の印刷ジョブに含まれる画像データの中に、新たに投入された印刷ジョブの画像データと先頭ページの内容が一致するものがあれば、新たに投入した印刷ジョブは、更新ジョブであると判断する方法。
【００６１】
＜方法２＞
新たな印刷ジョブを投入したユーザのユーザＩＤに対応する過去のジョブであって、ドキュメントのファイル名が一致、または一部一致するもの（たとえば、「ＯＯＯ20080522.xls」と「ＯＯＯ20080524.xls」などのように、日付以外は一致するもの等）がある場合は、新たに投入した印刷ジョブは、更新ジョブであると判断する方法。
【００６２】
＜方法３＞
過去の印刷ジョブの中に、新たに投入された印刷ジョブとファイル名が一致し（一部一致を含む）、新たに投入された印刷ジョブの画像データと先頭ページの内容の類似度が高いものがある場合は、新たに投入した印刷ジョブは、更新ジョブであると判断する方法。
【００６３】
＜方法４＞
過去の印刷ジョブの中に、新たに投入された印刷ジョブとファイル名が一致し（一部一致を含む）、新たに投入された印刷ジョブの画像データとドット数が近い画像データを含むものがある場合は、新たに投入した印刷ジョブは、更新ジョブであると判断する方法。
【００６４】
＜方法５＞
印刷ジョブの送信元のＰＣ端末６０に、新たに投入された印刷ジョブが更新ジョブであるか否かの情報提供を依頼し、その提供された情報によって新たに投入された印刷ジョブが更新ジョブか否かを判別する方法。
【００６５】
なお、上記の判定方法で参照される過去の印刷ジョブは、全ての過去の印刷ジョブでもよいし、所定期間内（たとえば１週間以内等）に実行された過去のジョブでもよい。その期間は、管理者等が設定可能である。
【００６６】
また、更新ジョブの元となった印刷ジョブが、試し印刷モードでの実行後に、その残りの部分を実行した印刷ジョブである場合は、試し印刷モードの印刷結果で確認したにもかかわらず、再度の印刷ミスを発生させてしまったとし、その印刷ジョブの実行による印刷ミスを重度の印刷ミスとして扱う。重度の印刷ミス回数は、通常の印刷ミス回数と分けてユーザ毎に記録してもよいし、たとえば、通常の印刷ミス２回分として記録してもよい。
【００６７】
印刷ミス履歴管理部３９は、印刷ミス判定部３８の出した判定結果に基づいて印刷ミス管理テーブル３７を更新する。
【００６８】
モード判定部４０は、画像形成装置１０に対して、試し印刷モードで印刷を行う指示を出すか、通常印刷モードで印刷を行う指示を出すかを判定する。印刷ミス管理テーブル３７に登録された印刷ミス履歴から印刷ミスを発生させる可能性が高いと判断したユーザが印刷を行う場合や、多量の枚数の印刷を行う場合は試し印刷モードで印刷を行う指示を出すと決定する。
【００６９】
図４は、誤印刷防止システム５が印刷を行う際に行われる処理の順番をＳ１〜Ｓ９までに分けて示す。（Ｓ１）まず、ユーザがＰＣ端末６０から印刷ジョブを誤印刷防止サーバ３０に送信する。
【００７０】
（Ｓ２）ＰＣ端末６０から送信された印刷ジョブを受信した誤印刷防止サーバ３０は、前述した方法で受信した印刷ジョブが更新ジョブであるか否かを判定し、更新ジョブであれば印刷ミスが発生したとし、更新ジョブでなければ印刷ミスが発生しなかったとする。そして、その判定結果に基づいて印刷ミス管理テーブル３７を更新する。
【００７１】
（Ｓ３）誤印刷防止サーバ３０が、試し印刷モードか通常印刷モードのどちらで画像形成装置１０に印刷を行わせるのかを決定するために閾値情報（第１閾値、第２閾値）を画像形成装置１０に問い合わせる。
【００７２】
（Ｓ４）誤印刷防止サーバ３０からの問い合わせに応じて、画像形成装置１０が閾値情報を誤印刷防止サーバ３０に送信する。
【００７３】
（Ｓ５）誤印刷防止サーバ３０は、画像形成装置１０から取得した閾値情報と、印刷ミス管理テーブル３７に記録されている当該印刷ジョブのオーナの印刷ミス履歴と当該印刷ジョブの設定情報に基づいて、試し印刷モードか通常印刷モードのいずれのモードで画像形成装置１０に印刷を行わせるのかを決定する。決定方法については後述する。
【００７４】
（Ｓ６）誤印刷防止サーバ３０は、Ｓ５で決定されたモードで印刷を行う旨の指示を画像形成装置１０に送信する。
【００７５】
（Ｓ７）その後、誤印刷防止サーバ３０は、ＰＣ端末６０から受信した印刷ジョブを画像形成装置１０に転送する。
【００７６】
（Ｓ８）画像形成装置１０は、誤印刷防止サーバ３０から指示されたモードで、転送された印刷ジョブに基づいた印刷を行う。
【００７７】
（Ｓ９）画像形成装置１０は、試し印刷モードで印刷を行った場合は、ユーザへその旨を報知する。その後、ユーザから残りの印刷を継続する指示を受けた場合は、残りの印刷を実行し、処理を終了する。ユーザから残りの印刷を中止する指示を受けた場合は、残りの印刷を行わず、その旨を誤印刷防止サーバ３０に通知する。この通知を受けた誤印刷防止サーバ３０は、この印刷ジョブは印刷ミスであったとして印刷ミス管理テーブル３７を更新し、処理を終了する。
【００７８】
図５は、図４のＳ１からＳ８までの処理において誤印刷防止サーバ３０が行う処理の流れを示す。なお、図５の図中では、画像形成装置１０をＭＦＰと記す。
【００７９】
まず、誤印刷防止サーバ３０は、ＰＣ端末６０から印刷ジョブを受信する（ステップＳ１０１）。
【００８０】
次に、印刷ミス判定部３８が、印刷ミスが発生したか否かを判定する（ステップＳ１０２）。具体的には、受信した印刷ジョブが更新ジョブであるか否かを判定し、更新ジョブであった場合は、その更新ジョブの元となった印刷ジョブの実行が印刷ミスであったとする（印刷ミスが発生したとする）。
【００８１】
印刷ミスが発生した場合は（ステップＳ１０３；Ｙｅｓ）、印刷ミス管理テーブル３７を更新し（ステップＳ１０４）、ステップＳ１０６に進む。ステップＳ１０４での更新（ネガティブな更新）では、ＰＣ端末６０にて印刷ジョブを投入したユーザの印刷ミス履歴における総印刷回数と印刷ミス回数を１回分カウントアップすることで、該当ユーザの履歴全体としては印刷ミスの割合が増加するような更新を行う。
【００８２】
印刷ミスが発生しなかった場合は（ステップＳ１０３；Ｎｏ）、印刷ミス管理テーブル３７を更新し（ステップＳ１０５）、ステップＳ１０６に進む。ステップＳ１０５の更新（ポジティブな更新）では、ＰＣ端末６０にて印刷ジョブを投入したユーザの印刷ミス履歴における総印刷回数のみを１回分カウントアップし、印刷ミス回数はそのままにしておくことで、該当ユーザの履歴全体としては印刷ミスの割合が低下するような更新を行う。
【００８３】
試し印刷モードか通常印刷モードのいずれかで画像形成装置１０に印刷を行わせるかを決定するために閾値情報（第１閾値、第２閾値）を画像形成装置１０に問い合わせる（ステップＳ１０６）。また、誤印刷防止サーバ３０は、印刷ジョブの設定情報（たとえば、片面印刷か両面印刷か、白黒かカラーか等）、およびその印刷ジョブのオーナの印刷ミス履歴の情報（印刷ミス管理テーブル３７を参照して）を閾値情報の問い合わせと共に送信する。
【００８４】
誤印刷防止サーバ３０が画像形成装置１０から閾値情報（第１閾値、第２閾値）を受信する（ステップＳ１０７）。
【００８５】
第１閾値は、印刷ミスに係る閾値であり、該当ユーザがこれまでに実行した印刷回数のうち、印刷ミスがあった回数の割合としてもよいし、印刷ミスがあった回数自体でもよい。またはそれらの組み合わせでもよい。該当ユーザの第１閾値に係る数値（印刷ミス割合、印刷ミス回数、またはその組み合わせ）が、第１閾値を超える場合は、誤印刷防止サーバ３０は、該当ユーザは印刷ミスを発生させる可能性が高いユーザであると判断し、試し印刷モードで画像形成装置１０に印刷を行わせると決定する。
【００８６】
第２閾値は、印刷ジョブにおける印刷量（印刷予定の部数、印刷予定の総印刷枚数、またはその組み合わせ等）に係る閾値であり、部数のみ、総印刷枚数のみ、または双方の組み合わせでもよい。今回投入された印刷ジョブにおける印刷量（部数、総印刷枚数、またはその組み合わせ）が第２閾値を超える場合には、誤印刷防止サーバ３０は、通常印刷モードで印刷した際に印刷ミスが発生したら、多量の資源が無駄に浪費されてしまうと判断し、試し印刷モードで画像形成装置１０に印刷を行わせると決定する。
【００８７】
ステップＳ１０８〜ステップＳ１１１では、第１閾値のみ、もしくは第１閾値と第２閾値の双方に基づいて、試し印刷モードか通常印刷モードのどちらで画像形成装置１０に印刷を行わせるのかを決定し、その決定したモードで印刷を実行するよう画像形成装置１０に指示する。
【００８８】
まず、印刷ミス管理テーブル３７を参照し、第１閾値に係る数値（印刷ミスの割合、印刷ミスの回数、もしくはその組み合わせ）が第１閾値よりも高ければ（ステップＳ１０８；Ｙｅｓ）、ステップＳ１１０に進み、第１閾値よりも低ければ（ステップＳ１０８；Ｎｏ）、ステップＳ１０９に進む。
【００８９】
印刷ジョブにおける印刷量（部数、総印刷枚数、もしくはその組み合わせ）が第２閾値よりも高ければ（ステップＳ１０９；Ｙｅｓ）、ステップＳ１１０に進み、第２閾値よりも低ければ（ステップＳ１０９；Ｎｏ）、ステップＳ１１１に進む。
【００９０】
ステップＳ１１０では、試し印刷モードで画像形成装置１０に印刷を行わせると決定し、画像形成装置１０に試し印刷モードで印刷するよう指示する。その後、ステップＳ１１２に進む。
【００９１】
ステップＳ１１１では、通常印刷モードで画像形成装置１０に印刷を行わせると決定し、画像形成装置１０に通常印刷モードで印刷するよう指示する。その後、ステップＳ１１２に進む。
【００９２】
そして、印刷ジョブを画像形成装置１０に転送し（ステップＳ１１２）、処理を終了する。なお、印刷ジョブの転送は、印刷の際のモード指示よりも先に転送してもよい。たとえば、閾値の問い合わせの際に、印刷ジョブを転送し、画像形成装置１０でその印刷ジョブをホールドさせておき、モード指示と共に印刷開始指示を送信してもよい。
【００９３】
また、図５の処理では、第１閾値に係る数値が第１閾値よりも高い場合、もしくは印刷量が第２閾値よりも高い場合に試し印刷モードで印刷するよう指示していたが（ステップＳ１０８；Ｙｅｓ、もしくはステップＳ１０９；Ｙｅｓの場合）、第１閾値に係る数値が第１閾値よりも高い場合であってなおかつ、印刷量が第２閾値よりも高い場合にのみ、試し印刷モードで印刷するよう指示し、それ以外の場合は通常印刷モードで印刷するよう指示してもよい。
【００９４】
また、印刷量が第２閾値を超えているか否かに係らず、第１閾値のみで、試し印刷モードと通常印刷モードのいずれのモードで印刷を指示するかを決定してもよい。その場合は、第１閾値に係る数値が第１閾値よりも高い場合に、試し印刷モードで印刷するよう指示する。
【００９５】
図６、図７は、図４のＳ１からＳ９までの処理において画像形成装置１０が行う処理の流れを示す。
【００９６】
まず、画像形成装置１０は、誤印刷防止サーバ３０が図５のステップＳ１０６の処理を行った際に、閾値の問い合わせと、印刷ジョブの設定情報を受信する（ステップＳ２０１）。ハードディスク装置１５に予め記憶させておいた、第１閾値と、第２閾値を読み出す（ステップＳ２０２）。以後の処理では、ステップＳ２０２で読み出した第１閾値、第２閾値を初期値とし、その値を増減させ、その増減済みの第１閾値、第２閾値を誤印刷防止サーバ３０に送信する。なお、この第１閾値と第２閾値の初期値は管理者等が予め設定可能である。
【００９７】
ステップＳ２０１で受信した印刷ジョブの設定内容が、その印刷ジョブを実行した時に印刷ミスになってしまった場合に、資源浪費するような設定であれば（ステップＳ２０３；Ｙｅｓ）、ステップＳ２０２で読み出した閾値（第１閾値、第２閾値）を減少させ（ステップＳ２０４）、ステップＳ２０５に進む。
【００９８】
ここでは、たとえば、設定内容が両面印刷の場合は、印刷された用紙を裏紙で再利用することが不可能なので、片面印刷の場合に比べ資源浪費量が多いとし、試し印刷モードを行うか否かの判定を厳しくすべく閾値を下げている。他にも、白黒印刷ではなくカラー印刷の場合も、トナーの消費量が増加するので閾値を下げてもよい。第１閾値を下げると、印刷ミスを発生させる可能性の低いユーザが印刷を行う場合でも試し印刷モードになりやすくなる。第２閾値を下げると、印刷量が少ない印刷ジョブであっても試し印刷モードになりやすくなる。
【００９９】
資源浪費するような設定でなければ（ステップＳ２０３；Ｎｏ）、そのままステップＳ２０５に進む。
【０１００】
ステップＳ２０５では、図５のステップＳ１０１で誤印刷防止サーバ３０が受信した印刷ジョブのオーナの印刷ミス履歴を参照し、閾値（第１閾値、第２閾値）を更に増減させるべきか否かを判断する。増減させるべきでなければ（ステップＳ２０５；Ｎｏ）、そのままステップＳ２０７に進む。増減させるべきであれば（ステップＳ２０５；Ｙｅｓ）、その値を増減させ（ステップＳ２０６）、ステップＳ２０７に進む。
【０１０１】
ここでの、閾値（第１閾値、第２閾値）を増減させるべき場合とは、たとえば、ここ１週間で印刷ミスを発生させた回数があまりにも多いユーザが印刷を行う場合は、試し印刷モードを行うか否かの判定を厳しくすべく閾値を下げる。判定をより厳しくすることで、試し印刷モードになりやすくする。以前はよく印刷ミスを発生させていたが、ここ１週間で印刷ミスを発生させていない場合は、試し印刷モードを行うか否かの判定を甘くすべく閾値を上げたりしてもよい。判定をより甘くすることで、試し印刷モードになり難くする。他にも過去に、悪質な印刷ミスを発生させている場合は、試し印刷モードを行うか否かの判定を厳しくすべく閾値を下げる等がある。
【０１０２】
なお、ステップＳ２０４、ステップＳ２０６で、閾値を増減させたが、これは、第１閾値と第２閾値のうち少なくとも一方を増減させればよい。
【０１０３】
ステップＳ２０７では、増減済みの第１閾値、第２閾値の情報を誤印刷防止サーバ３０に送信する。
【０１０４】
誤印刷防止サーバ３０で、試し印刷モードと通常印刷モードのいずれのモードで印刷を行うかを決定し（図５、ステップＳ１０８〜ステップＳ１１１参照）、画像形成装置１０は、試し印刷モードまたは通常印刷モードで印刷を行う指示と、印刷ジョブを受信する（ステップＳ２０８）。
【０１０５】
図７に進む。指示されたモードが試し印刷モードではなく通常印刷モードの場合は（ステップＳ２０９；Ｎｏ）、通常印刷モードで印刷を行い（ステップＳ２１３）、処理を終了する。
【０１０６】
指示されたモードが試し印刷モードであれば（ステップＳ２０９；Ｙｅｓ）試し印刷モードで印刷を行い（ステップＳ２１０）、試し印刷モードで印刷を行った旨をユーザに報知する（ステップＳ２１１）。ユーザは、試し印刷モードでの印刷結果（印刷済みの用紙）を確認し、残りの部分の印刷を継続させるか否かを決定する。
【０１０７】
画像形成装置１０は、残りの印刷を継続するか否かの選択をユーザから受け付け、継続する指示をユーザから受け付けたら（ステップＳ２１２；Ｙｅｓ）、残りの印刷を、通常印刷モードと同じく一気に実行し（ステップＳ２１４）、処理を終了する。
【０１０８】
画像形成装置１０は、残りの印刷を継続しない指示をユーザから受け付けたら（ステップＳ２１２；Ｎｏ）、残りの印刷は行わずに、その印刷ジョブを破棄し（ステップＳ２１５）、その旨を誤印刷防止サーバ３０に通知し（ステップＳ２１６）、処理を終了する。この場合、ステップＳ２１６の通知を受けた誤印刷防止サーバ３０は、試し印刷モードで行ったその印刷ジョブの実行が印刷ミスであったとして印刷ミス管理テーブル３７を更新する。
【０１０９】
図８は、図７のステップＳ２１１において、試し印刷モードで印刷を行った旨をユーザに報知する際に画像形成装置１０が表示部１６に表示する試し印刷画面５０の表示例を示す。
【０１１０】
画像形成装置１０は、試し印刷モードでの印刷後、残りの印刷を継続するか否かの決定をユーザから受け付ける。残りの印刷を継続させる場合は、ユーザは試し印刷画面５０の下部に表示されているＯＫ釦５１を選択する。残りの印刷を継続させずに中止する場合は、ユーザは試し印刷画面５０の下部に表示されている取り消し釦５２を選択する。
【０１１１】
画像形成装置１０は、ＯＫ釦５１の選択操作をユーザから受け付けたら、残りの印刷を実行する。取り消し釦５２の選択操作をユーザから受け付けたら、残りの印刷は行わずに、その印刷ジョブを破棄し、その旨を誤印刷防止サーバ３０に通知する。
【０１１２】
このように、本発明では、ユーザごとに印刷ミスの履歴を記録しておき、その記録から印刷ミスを発生させる可能性が高いと判断したユーザが印刷を行う場合や、多量の枚数の印刷を行う場合は、画像形成装置１０を試し印刷モードで印刷を行うように制御する。印刷ミスを発生させる可能性の少ないユーザが印刷を行う場合は、自動的に通常印刷モードで印刷が行われ、印刷ミスを発生させる可能性の高いユーザが印刷を行う場合は、自動的に試し印刷モードで印刷が行われる。これにより、印刷ミスを発生させる可能性の低いユーザの利便性を損なうことなく、印刷ミスを発生させる可能性が高い場合のみ、誤印刷による資源の浪費を防ぐことが可能となる。
【０１１３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１４】
本発明の実施の形態において、試し印刷モードでの印刷を行った旨の報知は、音声出力部２３による音声案内と、報知表示（図８参照）であったが、報知手段はこれに限らない。たとえば、インフォーメーションランプを設置し、点灯させてもよい。ＰＣ端末６０にて報知を行ってもよい。ＰＣ端末６０で報知を行った場合は、ＰＣ端末６０からＬＡＮ３経由で、画像形成装置１０に残りの印刷を継続させるか否かの指示を受け付けてもよい。印刷ジョブのオーナに報知するようにしてもよいし、報知先の端末（携帯端末等も含む）を指定しておき、その報知先に報知してもよい。また、誤印刷防止サーバ３０に、画像形成装置１０が試し印刷モードでの印刷を行った旨の報知を行う報知部を組み込んでもよい。
【０１１５】
本発明の実施の形態において、印刷ジョブの設定内容によって、閾値を変動させる処理（図６、ステップＳ２０３〜ステップＳ２０６）は、画像形成装置１０で行ったが、誤印刷防止サーバ３０で行ってもよい。この場合は、誤印刷防止サーバ３０で、第１閾値、第２閾値の初期値を予め登録しておくか、画像形成装置１０から第１閾値、第２閾値の初期値を取得させ、この値を増減させ、その増減後の第１閾値、第２閾値を、試し印刷モードで印刷を行わせるか通常印刷モードで印刷を行わせるかを決定する際に使用する。
【０１１６】
本発明の実施の形態では、印刷ジョブの設定内容や、印刷ジョブのオーナの印刷ミス履歴の情報に基づいて、第１閾値、第２閾値を初期値から増減させたが（図６、ステップＳ２０３〜ステップＳ２０６）、その際の初期値、および増減量は、予め設定されていてもよいし、管理者等が設定してもよい。また、それらの値はユーザごとに設定してもよい。なお、増減を行わずに、第１閾値、第２閾値を管理者等が直接設定してもよい。
【０１１７】
本発明の実施の形態において、誤印刷防止システム５を構成する画像形成装置１０は１台であったが、複数台で構成されていてもよい。画像形成装置１０が複数台設定されている場合でも印刷ミス履歴はユーザ別に登録管理する。
【０１１８】
本発明の実施の形態において、誤印刷防止サーバ３０と画像形成装置１０は、別体に設けられたが、１つの装置にまとめてもよい。
【０１１９】
印刷ミスが発生したか否かの判定は、本発明の実施の形態で説明した方法に限らない。たとえば、通常印刷モードでの印刷中に、その印刷を中断させた場合等に印刷ミスが発生したと判断してもよい。
【０１２０】
本発明の実施の形態において、試し印刷モードでは、複数部印刷の場合に１部のみを印刷するとしたが、印刷する部数は複数部数でもよい。また、複数部数印刷を行う印刷ジョブを試し印刷モードで実行する場合であっても、部単位ではなく、所定の枚数のみの印刷を行うようにしてもよい。
【０１２１】
本発明の実施の形態では、印刷ミス履歴をユーザごとに記録しておき、ユーザごとに試し印刷モードと通常印刷モードのいずれのモードで印刷を行うかを決定していたが、ユーザ別にしなくてもよい。
【符号の説明】
【０１２２】
３…ＬＡＮ
５…誤印刷防止システム
１０…画像形成装置
１１…ＣＰＵ
１２…ＲＯＭ
１３…ＲＡＭ
１４…不揮発メモリ
１５…ハードディスク装置
１６…表示部
１７…操作部
１８…ネットワークＩ／Ｆ部
１９…スキャナ部
２０…画像処理部
２１…プリンタ部
２２…ファクシミリ通信部
２３…音声出力部
３０…誤印刷防止サーバ
３１…ＣＰＵ
３２…ＲＯＭ
３３…ＲＡＭ
３４…不揮発メモリ
３５…ハードディスク装置
３６…ネットワークＩ／Ｆ部
３７…印刷ミス管理テーブル
３８…印刷ミス判定部
３９…印刷ミス履歴管理部
４０…モード判定部
５０…試し印刷画面
５１…ＯＫ釦
５２…取り消し釦
６０…ＰＣ端末
【図１】
2013190839.tif 000003
【図２】
2013190839.tif 000004
【図３】
2013190839.tif 000005
【図４】
2013190839.tif 000006
【図５】
2013190839.tif 000007
【図６】
2013190839.tif 000008
【図７】
2013190839.tif 000009
【図８】
2013190839.tif 000010